(57)【要約】【課題】容易に設置でき、且つ、良好な通信状態を確保することのできるエスカレーターの遠隔監視システムを提供する。【解決手段】公衆無線通信網を用いてエスカレーター４の遠隔監視・診断を行うエスカレーターの遠隔監視システムにおいて、前記公衆無線通信網に前記遠隔監視システムを接続する無線通信機のアンテナ１を、エスカレーター乗り口の床板４ｂに設置した構成。【選択図】図１
2006001737.tif 000002
【特許請求の範囲】
【請求項１】
公衆無線通信網を用いてエスカレーターの遠隔監視・診断を行うエスカレーターの遠隔監視システムにおいて、
前記公衆無線通信網に前記遠隔監視システムを接続する無線通信機のアンテナを、エスカレーター乗り口の床板に設置したことを特徴とするエスカレーターの遠隔監視システム。
【請求項２】
公衆無線通信網を用いてエスカレーターの遠隔監視・診断を行うエスカレーターの遠隔監視システムにおいて、
前記公衆無線通信網に前記遠隔監視システムを接続する無線通信機のアンテナを、エスカレーターのハンドレール引きこみ口近傍に設置したことを特徴とするエスカレーターの遠隔監視システム。
【請求項３】
前記無線通信機のアンテナを平面型としたことを特徴とする請求項１もしくは請求項２に記載のエスカレーターの遠隔監視システム。
【発明の詳細な説明】
【技術分野】
【０００１】
本発明は、公衆無線通信網を用いてエスカレーターを遠隔地から監視・診断するエスカレーターの遠隔監視システムに関し、特にそのシステムにおける無線通信機のアンテナの設置方法に関するものである。
【背景技術】
【０００２】
公衆電話回線網を用いて遠隔監視を行うエスカレーターの遠隔監視システムは、エスカレーターの異常を集中監視する管制センターとエスカレーターの監視装置との間を有線の公衆回線網を使用してデータ送受信を行うものは良く知られている。しかしながら、既設のエスカレーターに監視装置を設置する場合、有線の公衆回線では新たに通信線を敷設しなければならず、工事期間及び費用がかさむという問題がある。
【０００３】
そのため、たとえば公衆電話回線網ＰＨＳ網などの公衆無線回線網を使用したものも知られているが、無線方式を用いた通信方法においても、エスカレーターは主に金属部品で構成されるため、電波を遮断し、良好な通信状態を確保できないという問題があった。
【０００４】
そのため、エスカレーター乗り口の床付近に設ける起動及び停止操作を行う操作盤を非金属材料で構成し、無線通信機のアンテナをこの操作盤内部に設置する方法は知られている（特許文献１参照）。
【特許文献１】特開２００２−１４５５７０公報（段落０００９、図２）
【発明の開示】
【発明が解決しようとする課題】
【０００５】
しかしながら、上記従来技術では、既設のエスカレーターに無線通信機を設置する場合には操作盤を非金属部品で構成された物に交換しなければならないという問題があった。
【０００６】
本発明の目的は、容易に設置でき、且つ、良好な通信状態を確保することのできるエスカレーターの遠隔監視システムを提供するにある。
【課題を解決するための手段】
【０００７】
この発明の請求項１では、公衆無線通信網を用いてエスカレーターの遠隔監視・診断を行うエスカレーターの遠隔監視システムにおいて、前記公衆無線通信網に前記遠隔監視システムを接続する無線通信機のアンテナを、エスカレーター乗り口の床板に設置したことを特徴とする。
【０００８】
この発明の請求項２では、公衆無線通信網を用いてエスカレーターの遠隔監視・診断を行うエスカレーターの遠隔監視システムにおいて、前記公衆無線通信網に前記遠隔監視システムを接続する無線通信機のアンテナを、エスカレーターのハンドレール引きこみ口近傍に設置したことを特徴とするエスカレーターの遠隔監視システム。
【０００９】
また、この発明の請求項３では、前記無線通信機のアンテナを平面型としたことを特徴とする。
【発明の効果】
【００１０】
本発明により、エスカレーターの監視装置と、エスカレーターの異常を集中監視する管制センターとの通信手段を、無線通信機を用いて容易に構築できるという効果がある。
【発明を実施するための最良の形態】
【００１１】
以下、図面を参照して本発明の実施の形態について詳細に説明する。
【００１２】
図１は本発明の一実施形態になるエスカレーターの遠隔監視システムを示す全体構成図、図２は図１の乗降口を示す拡大図、図３は図２のアンテナ部分の拡大図、図４本発明の他の実施形態になるエスカレーターの遠隔監視システムを示す全体構成図、図５は図４に示すハンドレール引きこみ口近傍の拡大側面図である。
【００１３】
図１において、１はＰＨＳ端末２に接続され、電波の送受を行う平面アンテナ、３はエスカレーターの異常検出や異常診断を行う監視装置、４はエスカレーター、４ａはエスカレーターの駆動制御を行うエスカレーター制御盤、５はＰＨＳ公衆基地局、６は公衆網、７はエスカレーター４の異常状態や動作状態を監視する管制センターである。
【００１４】
この実施形態においてエスカレーター４に故障が発生した場合は、監視装置３はエスカレーター制御盤４ａと常時データの送受信を行いエスカレーター４の動作を監視しているので、その故障状態をＰＨＳ端末２を介して、ＰＨＳ公衆基地局５，公衆網６を介して管制センター７に接続され、エスカレーター４の故障状態を通報し、管制センター７から連絡を受けた技術者が即座に現地に出動し故障対応する。
【００１５】
図２は、エスカレーター乗り口の床板４ｂに平面アンテナ１を取付けた場合の一例を示し、図２において、１ｂはＰＨＳ端末２と平面アンテナ１を接続する同軸ケーブルである。この実施形態においては、エスカレーター４の下部の床板に平面アンテナ１を取付けた場合を示しているが、上部床板に取付けても構わない。
【００１６】
次に図３は、平面アンテナ１をエスカレーター４の床板４ｂに取り付けた場合を示す図で、図３において、１ａは平面アンテナ１をエスカレーター４の床板４ｂに固定するためのネジを示す。
【００１７】
通常、床板４ｂは電波を遮断する鋼板製であり、エスカレーター４内、つまり、床板４の下にアンテナを設置した場合は、電波が遮断され、良好な通信状態を確保することが出来ないが、この様に、ＰＨＳ端末２において電波の送受を行うアンテナを平面状とし、エスカレーター４の床板４ｂの上に密着させて取付けることにより、良好な状態で電波を送受することが出来、さらに、エスカレーター４を利用する人の通行の邪魔にならず、また、いたずら等による破損を防ぐことが出来る。
【００１８】
以上説明したように、上述の実施形態においては、ＰＨＳ端末のアンテナを平面状としてエスカレーターの床板に取り付ける構造としたことにより、容易に監視装置ＰＨＳ網に接続することができる。従って、既設のエスカレーターに監視装置を取付ける場合において、工事期間や費用を掛けずにすむため極めて有益である。
【００１９】
次に本発明の他の実施形態例を図４、図５を用いて説明する。
【００２０】
本実施形態において、前述した実施形態と異なる点は、平面アンテナ１１の取付け構造にある。
【００２１】
図４、図５において、エスカレーターハンドレール４ｃの引きこみ口４ｄ近傍に平面アンテナ１１を取付けている。１ｂはＰＨＳ端末２と平面アンテナ１１を接続する同軸ケーブルである。
【００２２】
この実施形態においては、エスカレーター４の下部のハンドレール引きこみ口４ｄ近傍に平面アンテナ１１を取付けた場合を示しているが、上部のハンドレール引きこみ口４ｄ近傍に取付けても構わない。
【００２３】
通常、床板４ｂは電波を遮断する鋼板製であり、エスカレーター４内、つまり、床板４ｂの下にアンテナを設置した場合は、電波が遮断され、良好な通信状態を確保することが出来ないが、この様に、ＰＨＳ端末２において電波の送受を行うアンテナ１１を平面状とし、エスカレーター４のハンドレール引きこみ口４ｄ近傍に密着させて取付けることにより、良好な状態で電波を送受することが出来、さらに、エスカレーター４を利用する人の通行の邪魔にならず、また、いたずら等による破損を防ぐことが出来る。
【００２４】
以上説明したように、上述の実施形態においては、ＰＨＳ端末のアンテナを平面状としてエスカレーターのハンドレール近傍に取付ける構造としたことにより、容易に監視装置をＰＨＳ網に接続することができる。従って、既設のエスカレーターに監視装置を取付ける場合において、工事期間や費用を掛けずにすむため極めて有益である。
【図面の簡単な説明】
【００２５】
【図１】本発明の一実施形態になるエスカレーターの遠隔監視システムを示す全体構成図である。
【図２】図１の乗降口を示す拡大図図である。
【図３】図２のアンテナ部分の拡大図である。
【図４】本発明の他の実施形態になるエスカレーターの遠隔監視システムを示す全体構成図である。
【図５】図４に示すハンドレール引きこみ口近傍の拡大側面図である。
【符号の説明】
【００２６】
１    平面アンテナ
１ａ  平面アンテナ固定ネジ
１ｂ  同軸ケーブル
２    ＰＨＳ端末
３    監視装置
４    エスカレーター
４ａ  エスカレーター制御盤
４ｂ  床板
５    ＰＨＳ公衆基地局
６    公衆網
７    管制センター
１１  平面アンテナ
【図１】
2006001737.tif 000003
【図２】
2006001737.tif 000004
【図３】
2006001737.tif 000005
【図４】
2006001737.tif 000006
【図５】
2006001737.tif 000007